(57)【要約】【課題】  本発明は、ＵＩ提供装置及び方法を提供する。【解決手段】ＵＩ提供装置及び方法を提供する。ＵＩ提供装置は制御機器から命令信号を受信する第１送受信部及び受信した命令信号によって機器の動作可能可否を判断する制御部を含み、制御機器はＡＶネットワーク上に連結された機器のリストメニューを表示する第１ボタンと機器に対応する機能メニューを表示する第２ボタンを含む。【選択図】      図５
2007164779.tif 000002
【特許請求の範囲】
【請求項１】
制御機器から命令信号を受信する第１送受信部；及び
前記受信した命令信号によって機器の動作可能可否を判断する制御部を含み、前記制御機器はＡＶネットワーク上に連結された前記機器の前記リストメニューを表示する第１ボタンと前記機器に対応する機能メニューを表示する第２ボタンを含むことを特徴とするＵＩ提供装置。
【請求項２】
前記機器の前記リストメニューを介して所定の機器を選択して、前記選択された機器が前記制御部を介して動作可能であると判断されるとダイレクトに前記機器をプレイすることを特徴とする請求項１に記載のＵＩ提供装置。
【請求項３】
前記機器が既に選択されている状態で前記第２ボタンをクリックした場合、前記機器の前記リストメニューを表示せず前記選択された機器に対応する前記機能メニューが表示されることを特徴とする請求項２に記載のＵＩ提供装置。
【請求項４】
前記機器の前記リストメニューと前記機能メニューは前記第１ボタンまたは前記第２ボタンの選択によってオーバーラップせず分離されて表示されることを特徴とする請求項２に記載のＵＩ提供装置。
【請求項５】
前記ＡＶネットワーク上に連結された機器に所定のイベントが発生し前記イベントが発生した前記機器が作動可能な場合、自動で前記機器の前記リストメニューを表示して前記イベントが発生した前記機器のメニューを区別して表示することを特徴とする請求項４に記載のＵＩ提供装置。
【請求項６】
制御機器から命令信号を受信する段階；及び
前記受信した命令信号によって機器の動作可能可否を判断する段階を含み、前記制御機器はＡＶネットワーク上に連結された前記機器の前記リストメニューを表示する第１ボタンと前記機器に対応する機能メニューを表示する第２ボタンを含むことを特徴とするＵＩ提供方法。
【請求項７】
前記機器の前記リストメニューを介して所定の機器を選択して、前記選択された機器が動作可能であると判断されるとダイレクトに前記機器をプレイすることを特徴とする請求項６に記載のＵＩ提供方法。
【請求項８】
前記機器が既に選択されている状態で前記第２ボタンをクリックした場合、前記機器の前記リストメニューを表示せず前記選択された機器に対応する前記機能メニューが表示されることを特徴とする請求項７に記載のＵＩ提供方法。
【請求項９】
前記機器の前記リストメニューと前記機能メニューは前記第１ボタンまたは前記第２ボタンの選択によってオーバーラップせず分離されて表示されることを特徴とする請求項７に記載のＵＩ提供方法。
【請求項１０】
前記ＡＶネットワーク上に連結された機器に所定のイベントが発生して前記イベントが発生した前記機器が作動可能な場合自動で前記機器の前記リストメニューを表示して前記イベントが発生した前記機器のメニューを区別して表示することを特徴とする請求項９に記載のＵＩ提供方法。
【発明の詳細な説明】
【技術分野】
【０００１】
本発明はＵＩ提供装置及び方法に係り、さらに詳細にはプレイ中心のＵＩを提供するＵＩ提供装置及び方法に関する。
【背景技術】
【０００２】
最近デジタルＴＶ中心のホームネットワーク技術の発達と共にＤＶＤプレーヤ、ホームシアター、デジタルムービービデオ、セットトップボックス（ＳＴＢ）及び多様な映像、音響機器が各家庭毎に普及されている。特にホームシアターの場合ＤＶＤプレーヤ、ＰＤＰ（プラズマディスプレーパネル）、ＡＶ（オーディオ／ビデオ）アンプ、セットトップボックス及び複数個のスピーカー等が一つのシステムを形成して各構成要素がホームネットワークを構成する。
【０００３】
また米国家電協会（ＣＥＡ）の標準規格で採択されたホームネットワークソリューションであるＸＨＴ（エキスパンダブルホームシアタ）は複数のＨＤ（高精細度）級信号を最も安定的に伝達できるＩＥＥＥ１３９４ケーブルとインターネットで用いる通信規格（インターネットプロトコル）を利用した技術で、ユーザがＴＶと連結された映像、音響機器はもちろん何台かのＴＶを便利に制御することができる。ＩＥＥＥ１３９４はデジタル機器間伝送技術標準で通信機器とコンピュータ、家電製品を単一ネットワークで連結してマルチメディアデータを１００Ｍｂｐｓから１Ｇｂｐｓまで高速でやり取りすることができる。また一つのブリッジ当たり最高６３個の機器を直列に連結することができて中間にいずれか１機器の電源が中断されても通信が可能である。
【０００４】
一方メモリー形態でなっているセットトップボックスは地上波、衛星及びケーブル等受信方式による変更が容易であって、セットトップボックス内にハードディスクを内蔵してＶＣＲ機能（録画、タイムシフティング等）を具現することができる。またＴＶ用ハードディスクを設置してＴＶをさらに多様な方法で活用することができるようになった。
【０００５】
図１は従来ホームネットワーク上のＵＩを示す。
【０００６】
図１（ａ）に示したように、複数個の被制御機器（ＤＶＤ、アンプ、セットトップボックス、寝室のＴＶ）とホスト機器（居間のＴＶ１０）がＡＶネットワークを構成している。ＡＶネットワークは好ましくはＩＥＥＥ１３９４で連結して単一ネットワークを形成しており、それぞれの機器はＵＩ（ユーザインタフェース）をホスト機器１０に提供する。またＡＶネットワーク上の機器はＸＨＴ機器であることがあるが、ＸＨＴはＩＥＥＥ１３９４ケーブルとインターネットで用いる通信規格を利用した技術で、米国家電協会（ＣＥＡ）の標準規格で採択された。
【０００７】
図１（ｂ）に示したように、ＴＶ（例えば居間ＴＶ１０）内に内蔵されたブラウザーはネットワーク上の機器の情報をＡＶハードディスクからＧＵＩ（グラフィックユーザーインタフェース）形態で提供を受けることができ、一般的に該情報は状態フレーム（ステータスフレーム）２０と制御フレーム（コントロールフレーム）３０で構成されて画面に表示される。ＴＶ中心のホームネットワーク内ＡＶハードディスクはＵＩデータサーバー役割をして、ＴＶはブラウザーを内蔵したクライアント役割をする。この時ＴＶ（ＰＣ）中心のホームネットワーク内ＡＶ機器のユーザインターフェース規格としてＣＥＡ２０２７が利用されることができる。ＣＥＡ  ２０２７に対する詳細な内容はＣＥＡ２０２７ｖｅｒｓｉｏｎ  Ｆ（Ａ  Ｕｓｅｒ  Ｉｎｔｅｒｆａｃｅ  ｆｏｒ  ＨｏｍｅＮｅｔｗｏｒｋｓ  Ｕｓｉｎｇ  Ｗｅｂ−ｂａｓｅｄ  Ｐｒｏｔｏｃｏｌｓ＿０４０６１６）を参照されたい。
【０００８】
状態フレーム２０と制御フレーム３０はリモコンで一つのキーボタンを用いて表示され、状態フレーム２０はアイコン及び名称を含んだ最終ＧＵＩを提供する。例えばユーザが状態フレーム２０で機器を選択すれば制御フレーム３０窓が現われて制御フレーム３０で該機器の機能を選択及び設定する。
【０００９】
しかしこのような構成は視聴中のコンテンツが状態フレーム２０と制御フレーム３０により遮られるのでユーザの視聴を妨害できる。
【００１０】
また例えばユーザがＴＶで視聴している放送を録画しようとする場合、状態フレーム２０でセットトップボックス（ＳＴＢ）２２を選択してチャネルを変更した後ＡＶハードディスク（４０８）を選択して制御フレーム３０で視聴中の放送を録画及びタイムシフティングを動作させて、再び状態フレーム２０でセットトップボックス２２を選択してチャネルを変更する段階を経なければならない。
【００１１】
しかしこのような構成はユーザのシステムに対する理解を前提に構成されているのでユーザが用いること難解なだけでなく、単位機能の断絶で該機器を毎度選択して実行する煩わしさがある。
【００１２】
したがってＡＶネットワーク上でユーザに效率的で簡便なＵＩを提供する必要性がある。
【特許文献１】韓国公開特許第２００４−０６７６８６号公報
【発明の開示】
【発明が解決しようとする課題】
【００１３】
本発明はＵＩ提供装置及び方法を提供することにその目的がある。
【００１４】
本発明の目的は以上で言及した目的に制限されないし、言及されないまた他の目的は下記の記載から当業者に明確に理解することができることである。
【課題を解決するための手段】
【００１５】
前記目的を達成するために、本発明の実施形態によるＵＩ提供装置は制御機器から命令信号を受信する第１送受信部及び受信した命令信号によって機器の動作可能可否を判断する制御部を含み、制御機器はＡＶネットワーク上に連結された機器のリストメニューを表示する第１ボタンと機器に対応する機能メニューを表示する第２ボタンを含む。
【００１６】
本発明の実施形態によるＵＩ提供方法は制御機器から命令信号を受信する段階及び受信した命令信号によって機器の動作可能可否を判断する段階を含み、制御機器はＡＶネットワーク上に連結された機器のリストメニューを表示する第１ボタンと機器に対応する機能メニューを表示する第２ボタンを含む。
【００１７】
その他実施形態の具体的な事項は詳細な説明及び図面に含まれている。
【００１８】
本発明の利点及び特徴、そしてそれらを達成する方法は添付される図面と共に詳細に後述する実施形態を参照すると明確になることである。しかし本発明は以下で開示する実施形態に限られることでなく相異なる多様な形態で具現されることができ、単に本実施形態は本発明の開示が完全なようにして、本発明が属する技術分野で通常の知識を有する者に発明の範ちゅうを完全に知らせるために提供することであり、本発明は請求項の範ちゅうにより定義されるだけである。明細書全体にかけて同一参照符号は同一構成要素を指称する。
【発明の効果】
【００１９】
前記したような本発明のＵＩ提供装置及び方法によればＡＶネットワークでユーザの視聴を妨害しなくて一つのリモコンでＡＶ機器及び該機器に対応する機能をプレイ中心に簡便に效率的に動作させることができる長所がある。
【発明を実施するための最良の形態】
【００２０】
以下、添付した図面を参照して本発明の望ましい実施形態を詳細に説明する。
【００２１】
図２は本発明の一実施形態によるＵＩ提供装置のブロック図である。
【００２２】
ＵＩ提供装置は第１送受信部２０１、第２送受信部２１１、保存部２２１、制御部２３１及び表示部２４１を含む。
【００２３】
第１送受信部２０１は制御機器から命令信号を受信する。制御機器には例えばリモコンを利用することができる。リモコンはＡＶネットワーク上に連結された機器のリストメニュー４００を表示する第１ボタン（選択ボタン５１０）と機器に対応する機能メニュー４１０を表示する第２ボタン（機能ボタン５２０）を含む。
【００２４】
第２送受信部２１１はＡＶネットワーク上の機器から機器のＵＩ情報を受信する。この時、ＡＶネットワーク上の機器はＸＨＴ機器であることがあって、この時ＸＨＴはＩＥＥＥ１３９４ケーブルとインターネットで用いる通信規格を利用した技術である。
【００２５】
保存部２２１はＡＶネットワーク上に連結された機器に関する情報を保存する。機器に関する情報は例えば第２送受信部２１１で受信した機器のＵＩ情報、機器の名称、アイコン情報及び該機器で作動可能な機能に関する情報を含む。制御部２３１は保存部２２１の内容によって第１送受信部２０１で受信した命令信号の作動可否を判断するようになる。また、ユーザがセットトップボックスの電源を入れたりＤＶＤを視聴しようとＤＶＤ機器に該ＤＶＤを挿入した場合等のようなイベント発生時該情報を感知して保存することができる。
【００２６】
以外にもユーザがチャネルを選択して放送プログラムを視聴すれば所定の時間間隔（例えば４．６秒）で放送プログラムをバックアップする。保存部２２１は好ましくはメモリーチップ、ＡＶハードディスク等の形態であることができる。
【００２７】
制御部２３１は第１送受信部２０１を介して命令信号を受信した後該命令信号の動作可能可否を判断する。この時保存部２２１に保存されたＡＶネットワーク機器の情報を活用することができる。例えばユーザがリモコンのＴＶガイドボタン５００をクリックした場合現在システムの状態がセットトップボックスではない他の機器が選択されている時には該機能を動作しなかったり、ＡＶハードディスクがないシステムや録画不可（コピーネバー）なコンテンツではレコード５５０機能を動作させない場合を例に挙げることができる。
【００２８】
この時、命令信号によって機器が作動可能な場合ユーザが機器を選択して動作させれば（エンターキー５３３）該機器がダイレクトでプレイされるようにデフォルトに設定されることができる。またもしもＡＶネットワーク上の所定の機器が既に機器のリストメニュー４００から選択されている場合、ユーザが機能ボタン５２０をクリックすればリストメニュー４００を表示されず選択された機器に対応する機能メニュー４１０をダイレクトに表示することができる。
【００２９】
一方、ユーザがセットトップボックスの電源を入れたりＤＶＤを視聴しようとＤＶＤ機器に該ＤＶＤを挿入した場合等のようなイベントが発生して制御部２３１が該イベントが発生した機器が動作可能であると判断した場合、自動で機器のリストメニュー４００を表示してイベントが発生した機器のメニューを所定の表示（例えばハイライト）で区別して表示することによってユーザに便利な連結機能を提供することができる。但し、複数個のＴＶ、ＰＣ等のディスプレイ装置を提供する機器がネットワークに連結している場合には他の視聴者の視聴を妨害しないように該表示が省略されることができる。
【００３０】
表示部２４１は制御フレーム及び命令信号による機能の動作進行状況を画面に表示する。制御フレームは保存部２２１に保存されたネットワーク上に連結された機器のリストメニュー４００を表示する第１フレームと第１フレームの機器に対応する機能メニュー４１０を表示する第２フレームで構成されることができる。表示部２４１は好ましくはＴＶ画面、ＰＣモニター、ＬＣＤ等の形態であることができる。また第１フレームに表示されるリストメニュー４００及び第２フレームに表示される機能メニュー４１０はユーザの選択がない場合またはエンターキー５３３を介して該メニューの機能を動作させた場合所定の時間後に消えるように構成されることができて、相互にオーバーラップせず分離されて画面に一つずつディスプレイされるように構成されることができる。
【００３１】
以下図５、図６及び図７でそれぞれの機能による細部内容を説明して以下省略する。
【００３２】
図３は本発明の一実施形態によるＵＩ提供の順序図である。
【００３３】
ユーザが制御機器で例えば選択ボタン５１０をクリックして第１送受信部２１１を介して命令信号をホスト機器に送信する（Ｓ３０１）。
【００３４】
命令信号を受信したホスト機器が表示部２４１を介して保存部２２１に保存されたネットワーク上に連結された機器のリストメニュー４００を第１フレームに表示する（Ｓ３１１）。もしもＡＶネットワーク上の所定の機器が既に機器のリストメニュー４００から選択された場合、ユーザが機能ボタン５２０をクリックすればリストメニュー４００を表示されず選択された機器に対応する機能メニュー４１０を表示する。したがって本段階が省略することができる。
【００３５】
ユーザが第１フレームの機器リストメニュー４００でリモコンの方向キーボタン５３０を介して所定の機器に移動してエンターキーをクリックすれば第１送受信部２０１を介して命令信号を送信するようになって、制御部２３１は該機器の動作可否を判断して動作が可能である場合ダイレクトに機器をプレイする（Ｓ３２１、Ｓ３３１）。このようなダイレクトプレイ機能はデフォルトであらかじめ設定されることができる。
【００３６】
もしもユーザが第１フレームで作動可能な機器に移動した後、機能ボタン５２０をクリックすれば選択された機器に対応する機能メニュー４１０が第２フレームにディスプレイされて、機能メニュー４１０で所定のボタンをユーザがクリックすれば対応する機能がプレイされる（Ｓ３４１、Ｓ３５１）。この時第１フレームで既に所定の機器が選択された場合には機器のリストメニュー４００が表示せず、該機器に対応する機能メニュー４１０が表示されることができる。
【００３７】
図４は本発明の一実施形態によるリモコンの構成図である。
【００３８】
ユーザはリモコンを介してＴＶに表示された所定のコンテンツを選択して該機能を実行させることができる。
【００３９】
リモコンは分離された複数個の制御キーボタンを含んでおり、複数個の制御キーボタンは好ましくは第１フレームにＡＶネットワーク上に連結された機器のリストメニュー４００を表示する選択ボタン５１０と第２フレームに機器に対応する機能メニュー４１０を表示する機能ボタン５２０を含む。また機能的な面で分類する場合、リモコンはダイレクト機能を遂行する部分で好ましくはＴＶガイドボタン５００、ボリューム、チャネルボタン５４０、レコードボタン５５０及びＡＶ制御ボタン５６０等を含んで、インダイレクト機能を遂行する部分で選択ボタン５１０、機能ボタン５２０及び方向キーボタン５３０等を含む。ダイレクト機能を遂行するボタンはＡＶネットワーク上の機器が作動可能な状態である場合該機器に対応する機能をすぐプレイする。
【００４０】
以下リモコンの主要構成要素に対して説明する。
【００４１】
ＴＶガイドボタン５００は好ましくは衛星放送プロバイダの電子プログラムガイド４１６を表示する。
【００４２】
選択ボタン５１０はＡＶネットワーク上に連結された機器をホスト機器（例えばＴＶ画面）にリスト形態で表示する。
【００４３】
機能ボタン５２０はそれぞれのＡＶネットワーク上に連結された機器に対応する機能メニュー（４１０）を提供する。
【００４４】
方向キーボタン５３０は表示されたメニューのフォーカスを移動する。
【００４５】
レコードボタン５５０はライブレコーディング、ＰＶＲ（パーソナルビデオレコーダ）及びタイミングレコーディング等のメニューを提供する。
【００４６】
ＡＶ制御ボタン５６０はプレイオプション及びタイムシフティング機能等を提供する。
【００４７】
前記リモコンの主要ボタンの細部動作に対しては以下図５、図６及び図７でよりもっと具体的に説明する。
【００４８】
図５は本発明の一実施形態によるリモコンの選択ボタン及び機能ボタンによるＵＩを示す。
【００４９】
リモコンはリストメニュー４００を表示する第１ボタン（選択ボタン５１０）と機器に対応する機能メニュー４１０を表示する第２ボタン（機能ボタン５２０）を含む。この時、第１ボタンまたは第２ボタンの選択によって機器のリストメニュー４００と機能メニュー４１０はオーバーラップせず分離されて表示される。
【００５０】
（イ）段階で、ユーザが選択ボタン５１０をクリックすればＡＶネットワーク上にある連結している機器のリストメニュー４００をホスト機器（ＴＶ）の第１フレームに表示する。好ましくは第１フレームはＴＶ画面のいずれか一つの軸方向に位置させて現在視聴中の放送画面を遮らないようにする。例えばＤＴＶ、セットトップボックス（ＳＴＢ）４０２、ＡＶハードディスク、ＤＶＤ４０４機器を表示する。第１フレームに表示された機器は全て動作可能であったり、作動可能な機器と動作不可能な機器を区別して表示することができる。
【００５１】
また、ユーザがセットトップボックス４０２の電源を入れたりＤＶＤを視聴しようとＤＶＤ機器４０４に該ＤＶＤを挿入した場合等のようなイベント発生時、機器のリストメニュー４００を表示して該イベントが発生した（例えばＤＶＤ機器）機器を好ましくはハイライトで表示してユーザに便利な連結機能を提供する。しかし複数個のＴＶがネットワークに連結している場合には他の視聴者の視聴を妨害しないように該表示が省略されることができる。またリストメニュー４００はユーザの選択がない場合またはエンターキー５３３を介して該メニューの機能を動作させた場合所定の時間後に消えるように構成されることができる。
【００５２】
（ロ）段階で、ユーザが方向キーボタン５３０を利用してメニューのフォーカスを移動して現在動作が可能なセットトップボックス４０２を選択してチャネルを変更すれば現在選択されたプログラムに対する情報４１２と放送画面が表示される。現在選択されたプログラムに対する情報４１２はチャネルの番号、プログラム名称、日付等の情報を提供して好ましくは所定の時間以後消えるようになる。
【００５３】
（ハ）、（ニ）、（ホ）段階で、ユーザが選択ボタン５１０をクリックすれば再びリストメニュー４００が表示されて、例えば現在作動可能なＤＶＤ４０４にチャネルを変更すれば該ＤＶＤ画面がダイレクトにプレイされて表示される。
【００５４】
一方（ヘ）、（ト）段階で、ユーザが機能ボタン５２０をクリックすれば選択された機器（例えばセットトップボックス）に対応する機能メニュー４１０が第２フレームに表示されて、ユーザが機能メニュー４１０で選択したメニューによって該機能をプレイさせる。この時進行バー４１４を介して該機能の進行程度をユーザに表示することができる。
【００５５】
またもしもＡＶネットワーク上の所定の機器が既に機器のリストメニュー４００から選択されている場合、ユーザが機能ボタン５２０をクリックすればリストメニュー４００を表示されず選択された機器に対応する機能メニュー４１０をダイレクトに表示することができる。
【００５６】
一方、第１フレームに表示されるリストメニュー４００及び第２フレームに表示される機能メニュー４１０はユーザの選択がない場合またはエンターキー５３３を介して該メニューの機能を動作させた場合所定の時間後に消えるように構成されることができる。機能メニュー４１０には例えばセットトップボックスに対応する機能である電子プログラムガイド（ＥＰＧ）、レコード、タイムシフティング、設定（環境設定）等のメニューを提供する。
【００５７】
このように視聴中の画面を遮らなくて視聴者に便利なＵＩを提供して、一つのリモコンで機器及び該機器に対応する機能をプレイ中心に簡便に效率的に動作させることができる。
【００５８】
以下図６及び図７で前記図４のリモコンを機能別に分類して主要構成要素に対して説明する。但し、機能別分類は便宜上の分類であり、必ずこれにより明確に区分して分類されることができることではない。
【００５９】
図６は本発明の一実施形態によるリモコンのインダイレクト機能を遂行するボタンを示す。
【００６０】
リモコンのインダイレクト機能を遂行する部分で好ましくは選択ボタン５１０、機能ボタン５２０、方向キーボタン５３０及びエンターキーボタン５３３を含む。
【００６１】
図６（ａ）に示したように、ユーザが放送を視聴していた途中選択ボタン５１０をクリックすればＡＶネットワーク上に連結された機器のリストを見せてくれるリストメニュー４００が表示される。但し、ユーザが視聴中の放送が現在録画（レコーディング）されている中の場合には除外されることができる。好ましくはユーザが選択ボタン５１０をもう一度クリックすれば該リストメニュー４００が消える。
【００６２】
図６（ｂ）に示したように、ユーザが該当システムの所定の状態で機能ボタン５２０をクリックすれば該当システムの状態（例えばセットトップボックスを通じた放送視聴）にしたがって対応する機能メニュー４１０が表示される。但し、この場合にもユーザが視聴中の放送が現在録画（レコーディング）されている中の場合には除外されることができる。好ましくはユーザが機能ボタン５２０をもう一度クリックすれば該機能メニュー４１０が消える。
【００６３】
それ以外に方向キーボタン５３０はメニューがオープンされた時メニューのフォーカシングを移動させ、メニューが選択された後エンターキー５３３をクリックすれば対応する機能が動作する。
【００６４】
図７は本発明の一実施形態によるリモコンのダイレクト機能を遂行するボタンを示す。
【００６５】
リモコンのダイレクト機能を遂行する部分で好ましくはＴＶガイドボタン５００、共通制御ボタン、レコードボタン５５０及びＡＶ制御ボタン５６０を含む。
【００６６】
図７（Ａ）に示したように、ユーザがセットトップボックス（ＳＴＢ）を介して放送を視聴する途中にＴＶガイドボタン５００をクリックすれば、該機器が既に選択されているのでダイレクトに電子プログラムガイド（ＥＰＧ）４１６を動作させる。電子プログラムガイド４１６は例えば放送プログラム目録、各プログラムの放送開始時間及び終了時間の情報を提供する。この時セットトップボックスではない他の機器が選択されている場合には好ましくはＴＶガイドボタン５００は動作しない。
【００６７】
図７（Ｂ）に示したように、共通制御ボタンはボリューム、チャネル５４０及びナンバーキーボタンを含み、例えばユーザがセットトップボックスや地上波放送を介した放送視聴の中チャネルボタン５４０をクリックすれば現在視聴中のチャネルがダイレクトに変更される。チャネルが変更された時プログラムに対する説明４１２を含む詳細な動作はそれぞれのブロードキャスターにより提供されるそれぞれの規則に従うことができる。また放送プログラムのボリューム及びチャネルはナンバーキーボタンによりユーザによりダイレクトに入力されて調節及び変更が可能である。
【００６８】
図７（ｃ）に示したように、ユーザがセットトップボックスまたは地上波放送を介した放送視聴の中レコードボタン５５０をクリックすれば、現在見ている場面がダイレクトにＡＶハードディスクに録画される。またユーザはお知らせボックス４１８によりレコーディング（録画）進行中の状態を分かるようになる。例えば録画の中である時は赤い色で表示したり、録画を終えた後には緑色で表示することができる。以外にも録画進行表示は多様な形態及び音響でも提供することができて、レコード５５０機能は好ましくはＡＶハードディスクがないシステムや録画不可なコンテンツでは利用されることができない。
【００６９】
図７（ｄ）に示したように、ユーザがセットトップボックスを介して放送を視聴する中であるか、地上波放送視聴及びＡＶハードディスクで動映像を視聴していた途中ＡＶ制御ボタン５６０をクリックすれば、ユーザの選択によって対応する機能（停止、巻き戻し、早送り等）がダイレクトに動作して、好ましくは進行バー４１４が表示されてユーザに進行程度を見せてくれる。但し、好ましくは進行バー４１４はプレイボタンがクリックされた時には表示されない。またタイムシフティングがＡＶハードディスクの不在によって動作しないならば、ＡＶ制御ボタン５６０の機能は動作しなくなる。
【００７０】
一方、一般的にユーザがチャネルを選択して放送を視聴すれば所定の時間間隔（例えば４．６秒）で放送コンテンツがＡＶハードディスクにバックアップされる。したがってユーザがＡＶハードディスクを選択すれば視聴した放送を連続して見ることか、最近に録画されたことを見ることか等に関するダイアローグボックス８２０が提供されることができる。ユーザはダイアローグボックス８２０のＡＶハードディスクリストで希望するコンテンツを選択してプレイすることができて、該コンテンツを視聴するうち停止、巻き戻し、早送り等のボタンを動作させることができる。また以外にもユーザの選択によってコンテンツシェアリング及びＴＶロック等のプロセスウィザード８１０が提供される。コンテンツシェアリングは例えばユーザが居間のＴＶを視聴していた途中他の場所にあるＤＶＤをプレイすることができ、衛星放送受信機が一つのＴＶにだけ連結しても付加的な受信機の設置なしに複数個のＴＶで衛星放送を視聴することができる。またユーザが視聴中の放送プログラムを他の場所（寝室）のＴＶ視聴者にお勧めすることができ、生放送視聴の中巻き戻し、ＴＶ用ハードドライブを通した録画及び他の場所で視聴中のＴＶ（ＤＶＤ、衛星放送等）を共に視聴することができる。前記の図７の動作は好ましくは９３１ＢまたはＡＶ／Ｃ等のリモコン制御命令語で処理することができる。
【００７１】
ユーザに提供する前記のインターフェースを以下図８を介してナビゲーション形態で後述するようにする。
【００７２】
図８は本発明の一実施形態によるＵＩによるナビゲーションを示す。
【００７３】
該機器を制御するプレイ中心のナビゲーションを示す。
【００７４】
ユーザがＴＶをパワーオンして、リモコンの選択ボタン５１０をクリックすればネットワーク上に連結された機器を選択することができるようにリストメニュー４００がＴＶ画面に表示される。
【００７５】
ユーザがリストメニュー４００で作動可能な該機器を選択した後リモコンの機能ボタン５２０をクリックすれば該機器の機能メニュー４１０が表示されて、ユーザの選択によってパネル上の機能メニュー４１０に対応するプロセスウィザード８１０が行われる。該プロセスウィザード８１０には例えば予約、削除、機器セットアップ等を含む。またユーザがＡＶハードディスクを選択すれば視聴した放送を連続して見ることか、最近に録画されたことを見ることか等に関するダイアローグボックス８２０が提供されることができる。この時、該ダイアローグボックス８２０によるプロセスウィザード８１０は最近録画されたリストを見せてくれるリスト、伝送（コンテンツシェアリング）及びＴＶロック等を含む。
【００７６】
またユーザがリモコンの主要ボタンの機能のうちダイレクト機能を実行するＡＶ制御ボタン５６０をクリックすればユーザの選択によって対応する機能（停止、巻き戻し、早送り等）がダイレクトに動作して好ましくは進行バー４１４が表示されてユーザに進行程度を見せてくれる。進行バー４１４はユーザがブックマークボタン８１２をクリックした時にも表示されるように構成することができる。またこれと共にユーザがＴＶガイドボタン５００をクリックすれば電子プログラムガイド４１６をダイレクトに提供して以後セットトップ電子プログラムガイド８１４またはレコードターゲットセッティング８１６の機能を行うことができる。
【００７７】
以下図９でＡＶネットワーク上の機器に対応する機能メニュー４１０にしたがって複数個のデプスで構成されることができるメニューボタンの階層的構成を説明する。
【００７８】
図９は本発明の一実施形態によるメニューボタンの階層的構成図である。
【００７９】
ユーザが選択ボタン５１０をクリックすればリストメニュー４００が表示されて現在ネットワークに連結された機器を示す。リストメニュー４００には例えばＤＴＶ４０６、ＤＶＤ４０４、セットトップボックス４０２、ＡＶハードディスク４０８が表示される。ユーザが機能ボタン５２０をクリックすればリストメニュー４００から選択された機器に対応する機能メニュー４１０が表示されて、ユーザの選択によって該機能に対応するプロセスが行われる。
【００８０】
例えばユーザがリストメニュー４００でＤＶＤ４０４を選択して機能ボタン５２０をクリックすれば機能メニュー４１０にディスクメニュー、伝送、設定を含んだメニューが表示されて、該機能メニュー４１０でディスクメニュー４０４ａをクリックすればディスクメニューに移動４０４ｂするようになる。セットトップボックス４０２の場合機能メニュー４１０にレコード、伝送（コンテンツシェアリング）、ＥＰＧ（電子プログラムガイド）、設定を含んだメニューを提供してそれぞれに該当する機能を遂行するようになる。以外にもＤＴＶ４０６はレコード、伝送、設定を含んだ機能メニュー４１０を提供することができて、ＡＶハードディスク４０８はリスト、ブックマークリスト、伝送（コンテンツシェアリング）及び設定４０８を含んだ機能メニュー４１０を提供することができる。また機能によって提供されるメニューのデプスはさらに拡張してユーザに多様なサービスで提供することができることはもちろんである。
【００８１】
以上添付した図面を参照して本発明の実施形態を説明したが、本発明が属する技術分野で通常の知識を有する者は本発明がその技術的思想や必須な特徴を変更しなくて他の具体的な形態で実施できるということを理解することができることである。それゆえ以上で記述した実施形態は全ての面で例示的なことであって限定的でないことに理解しなければならない。
【図面の簡単な説明】
【００８２】
【図１】従来ホームネットワーク上のＵＩを示す。
【図２】本発明の一実施形態によるＵＩ提供装置のブロック図である。
【図３】本発明の一実施形態によるＵＩ提供の順序図である。
【図４】本発明の一実施形態によるリモコンの構成図である。
【図５】本発明の一実施形態によるリモコンの選択ボタン及び機能ボタンによるＵＩを示す。
【図６】本発明の一実施形態によるリモコンのインダイレクト機能を遂行するボタンを示す。
【図７】本発明の一実施形態によるリモコンのダイレクト機能を遂行するボタンを示す。
【図８】本発明の一実施形態によるＵＩによるナビゲーションを示す。
【図９】本発明の一実施形態によるメニューボタンの階層的構成図である。
【符号の説明】
【００８３】
４００      リストメニュー
４１０      機能メニュー
５００      ＴＶガイドボタン
５１０      選択ボタン
５２０      機能ボタン
５３０      方向キーボタン
５４０      チャネルボタン
５５０      レコードボタン
５６０      ＡＶ制御ボタン
【図１】
2007164779.tif 000003
【図２】
2007164779.tif 000004
【図３】
2007164779.tif 000005
【図４】
2007164779.tif 000006
【図５】
2007164779.tif 000007
【図６】
2007164779.tif 000008
【図７】
2007164779.tif 000009
【図８】
2007164779.tif 000010
【図９】
2007164779.tif 000011